(57)【要約】【課題】容易に開封することができる包装袋を提供する。【解決手段】本発明の包装袋は、前面１０には裂け目を端部２３から端部２４へ向けて誘導可能な形状を有する第１の開封補助線５１が形成され、背面１１には裂け目を端部２３から端部２４へ向けて誘導可能な形状を有する第２の開封補助線５２が形成されており、端部２３を含む前面１０および背面１１の一部の領域に、第１の開封補助線５１および第２の開封補助線５２の両方が形成されている。【選択図】図１
2019119457.tif 000002
【特許請求の範囲】
【請求項１】
フィルムにより構成され、少なくとも１つの端部が前記フィルムの折り返し部に対応する包装袋であって、
前面および背面に、前記端部から切り裂いて開封する際に裂け目を所定の方向に誘導する開封補助線を有し、
前記開封補助線として、前記前面には前記前面の裂け目を前記端部から他の端部へ向けて誘導可能な形状を有する第１の開封補助線が形成され、前記背面には前記背面の裂け目を前記端部から前記他の端部へ向けて誘導可能な形状を有する第２の開封補助線が形成されており、
前記端部を含む前記前面および前記背面の一部の領域に、前記第１の開封補助線および前記第２の開封補助線の両方が形成されている、包装袋。
【請求項２】
前記第１の開封補助線が前記端部を跨いで前記背面の一部の領域に及んで形成されており、前記第２の開封補助線が前記端部を跨いで前記前面の一部の領域に及んで形成されている、請求項１に記載の包装袋。
【請求項３】
前記端部を含む前記前面および前記背面の一部の領域において、前記第１の開封補助線と前記第２の開封補助線とが互いに重なるように形成されている、請求項１または２に記載の包装袋。
【請求項４】
前記前面と前記背面とがシールされることにより互いに対向する両端のそれぞれに沿って形成されたシール部と、一方の前記シール部から他方の前記シール部にかけて前記背面から隆起する背シール部と、を有し、
前記背シール部の前記他の端部側の面には、裂け目を前記背シール部の基部から先端部へ向けて誘導可能な形状を有する第３の開封補助線が形成され、
前記他の端部側の面および前記背面の一部の領域に、前記第２の開封補助線および前記第３の開封補助線の両方が形成されている、請求項１から３のいずれかに記載の包装袋。
【請求項５】
前記第２の開封補助線が、前記背シール部と前記背面との境界を跨いで前記他の端部側の面の一部の領域に及んで形成されており、
前記第３の開封補助線が、前記境界を跨いで前記背面の一部の領域に及んで形成されている、請求項４に記載の包装袋。
【請求項６】
前記他の端部側の面および前記背面の一部の領域において、前記第２の開封補助線と前記第３の開封補助線とが互いに重なるように形成されている、請求項４または５に記載の包装袋。
【請求項７】
１つ以上の前記開封補助線を有し、
前記開封補助線が、裂け目の誘導方向に向かって先細りする形状を有するとともに該方向に沿って配列された複数の単位補助線を含む、請求項１から６のいずれかに記載の包装袋。
【請求項８】
前記単位補助線が、ハの字形状、Ｖ字形状、Ｕ字形状、または、Ｙ字形状を有する、請求項７に記載の包装袋。
【請求項９】
請求項１から８のいずれかに記載の包装袋の製造に用いられる長尺状の製袋用フィルムであって、
幅方向に沿って前記開封補助線が形成されており、
前記前面と前記背面との境界線に対応する折り返し部を有し、
前記折り返し部を含む領域に、前記第１の開封補助線および前記第２の開封補助線の両方が形成されている、製袋用フィルム。
【請求項１０】
幅方向における両端部のうち少なくとも一方の端部に、前記開封補助線が形成されていない領域を有する、請求項９に記載の製袋用フィルム。
【請求項１１】
前記開封補助線が形成されていない領域が、該端部から０．５ｍｍ〜３ｍｍの幅を有する領域である、請求項１０に記載の製袋用フィルム。
【発明の詳細な説明】
【技術分野】
【０００１】
本発明は、包装袋および製袋用フィルムに関する。
【背景技術】
【０００２】
フィルムを製袋加工することにより得られる包装袋として、様々なタイプの包装袋が知られている。中でも、フィルムを折り返して端部をヒートシールすることにより得られるカマス袋（二方袋）やピロー袋（合掌袋）は、効率良く製袋および梱包ができることから、様々な分野で用いられている。さらに、上記のような包装袋において、開封性を高めるために、前面および背面に開封補助線を有する包装袋が提案されている（特許文献１および２）。しかしながら、前面および背面に開封補助線を有する従来の包装袋は、容易に開封できない場合がある。
【先行技術文献】
【特許文献】
【０００３】
【特許文献１】実用新案登録第２５６６４４４号公報
【特許文献２】特開２００１−１５１２４６号公報
【発明の概要】
【発明が解決しようとする課題】
【０００４】
本発明は上記従来の課題を解決するためになされたものであり、その主たる目的は、容易に開封することができる包装袋、および、そのような包装袋の製造に用いられる製袋用フィルムを提供することにある。
【課題を解決するための手段】
【０００５】
本発明の包装袋は、フィルムにより構成され、少なくとも１つの端部が上記フィルムの折り返し部に対応する包装袋であって、前面および背面に、上記端部から切り裂いて開封する際に裂け目を所定の方向に誘導する開封補助線を有し、上記開封補助線として、上記前面には上記前面の裂け目を上記端部から他の端部へ向けて誘導可能な形状を有する第１の開封補助線が形成され、上記背面には上記背面の裂け目を上記端部から上記他の端部へ向けて誘導可能な形状を有する第２の開封補助線が形成されており、上記端部を含む上記前面および上記背面の一部の領域に、上記第１の開封補助線および上記第２の開封補助線の両方が形成されている。
１つの実施形態においては、上記第１の開封補助線が上記端部を跨いで上記背面の一部の領域に及んで形成されており、上記第２の開封補助線が上記端部を跨いで上記前面の一部の領域に及んで形成されている。
１つの実施形態においては、上記端部を含む上記前面および上記背面の一部の領域において、上記第１の開封補助線と上記第２の開封補助線とが互いに重なるように形成されている。
１つの実施形態においては、上記前面と上記背面とがシールされることにより互いに対向する両端のそれぞれに沿って形成されたシール部と、一方の上記シール部から他方の上記シール部にかけて上記背面から隆起する背シール部と、を有し、上記背シール部の上記他の端部側の面には、裂け目を上記背シール部の基部から先端部へ向けて誘導可能な形状を有する第３の開封補助線が形成され、上記他の端部側の面および上記背面の一部の領域に、上記第２の開封補助線および上記第３の開封補助線の両方が形成されている。
１つの実施形態においては、上記第２の開封補助線が、上記背シール部と上記背面との境界を跨いで上記他の端部側の面の一部の領域に及んで形成されており、上記第３の開封補助線が、上記境界を跨いで上記背面の一部の領域に及んで形成されている。
１つの実施形態においては、上記他の端部側の面および上記背面の一部の領域において、上記第２の開封補助線と上記第３の開封補助線とが互いに重なるように形成されている。
１つの実施形態においては、１つ以上の上記開封補助線を有し、上記開封補助線が、裂け目の誘導方向に向かって先細りする形状を有するとともに該方向に沿って配列された複数の単位補助線を含む。
１つの実施形態においては、上記単位補助線が、ハの字形状、Ｖ字形状、Ｕ字形状、または、Ｙ字形状を有する。
本発明の別の局面によれば、製袋用フィルムが提供される。この製袋用フィルムは、上記包装袋の製造に用いられる長尺状の製袋用フィルムであって、幅方向に沿って上記開封補助線が形成されており、上記前面と上記背面との境界線に対応する折り返し部を有し、上記折り返し部を含む領域に、上記第１の開封補助線および上記第２の開封補助線の両方が形成されている。
１つの実施形態においては、幅方向における両端部のうち少なくとも一方の端部に、上記開封補助線が形成されていない領域を有する。
１つの実施形態においては、上記開封補助線が形成されていない領域が、上記端部から０．５ｍｍ〜３ｍｍの幅を有する領域である。
【発明の効果】
【０００６】
本発明によれば、端部を含む前面および背面の一部の領域に第１の開封補助線および第２の開封補助線の両方が形成されていることにより、製袋加工時にフィルムが本来の折り返し部からずれた位置で折り返された場合であっても容易に開封することができる包装袋が提供され得る。
【図面の簡単な説明】
【０００７】
【図１】本発明の１つの実施形態による包装袋を前面側から見たときの概略図である。
【図２】本発明の１つの実施形態による包装袋を背面側から見たときの概略図である。
【図３】図２のIII−III線矢視断面図である。
【図４】本発明の１つの実施形態による包装袋の開封補助線を示す概略図である。
【図５】本発明の別の実施形態による包装袋の開封補助線を示す概略図である。
【図６】本発明のさらに別の実施形態による包装袋の開封補助線を示す概略図である。
【図７】本発明の１つの実施形態による包装袋を背面側から見たときの概略斜視図である。
【図８】本発明の１つの実施形態による製袋用フィルムの概略図である。
【発明を実施するための形態】
【０００８】
以下、本発明の実施形態について、図１〜図８に基づいて詳細に説明する。
【０００９】
Ａ．包装袋
図１は本発明の１つの実施形態による包装袋１００を前面１０側から見たときの概略図であり、図２は本発明の１つの実施形態による包装袋１００を背面１１側から見たときの概略図であり、図３は図２のIII−III線矢視断面図である。包装袋１００は、フィルムにより構成され、少なくとも１つの端部がフィルムの折り返し部に対応する包装袋である。このような包装袋としては、例えば、図示例のような合掌袋、および二方袋が挙げられる。包装袋１００は、代表的には、１枚の製袋用フィルムを製袋加工することにより得られる。図示例の包装袋１００は、互いに対向する端部２３と端部２４とが、フィルムの折り返し部に対応する。包装袋１００は、前面１０および背面１１に、端部２３から切り裂いて開封する際に裂け目を所定の方向に誘導する開封補助線を有する。図示例の包装袋１００は、裂け目を図中Ｘ方向に誘導する開封補助線を有する。開封補助線として、前面１０には第１の開封補助線５１が形成され、背面１１には第２の開封補助線５２が形成されている。第１の開封補助線５１は、前面１０の裂け目を端部２３から端部２４へ向けてＸ方向に誘導可能な形状を有する。第２の開封補助線５２は、背面１１の裂け目を端部２３から端部２４へ向けてＸ方向に誘導可能な形状を有する。
【００１０】
図４は、本発明の１つの実施形態による包装袋の開封補助線を示す概略図である。説明のため、図４では、前面１０および背面１１の一部を１平面上に図示し、図中の破線を端部２３として、破線より右側を前面１０とし、左側を背面１１とする。１つの実施形態においては、開封補助線は、裂け目の誘導方向に向かって先細りする形状を有するとともに該方向に沿って配列された複数の単位補助線を含む。具体的には、図４に示すように、第１の開封補助線５１は、端部２３から端部２４へ向けた裂け目の誘導方向に向かって先細りするハの字形状を有するとともに該方向に沿って配列された複数の単位補助線５１ａを含み、第２の開封補助線５２は、端部２３から端部２４へ向けた裂け目の誘導方向に向かって先細りするハの字形状を有するとともに該方向に沿って配列された複数の単位補助線５２ａを含む。包装袋１００は、上記のような第１の開封補助線５１および第２の開封補助線５２を有することにより、裂け目が各単位補助線５１ａ（５２ａ）の先端側に収束し得、裂け目が１つの単位補助線５１ａ（５２ａ）から逸れる方向に進行した場合であっても、次の単位補助線５１ａ（５２ａ）により所定の方向に誘導し直すことができる。さらに、包装袋１００は、端部２３を含む前面１０および背面１１の一部の領域Ｃに、第１の開封補助線５１および第２の開封補助線５２の両方が形成されている。代表的には、第１の開封補助線５１が端部２３を跨いで背面１１の一部の領域Ｂに及んで形成されており、第２の開封補助線５２が端部２３を跨いで前面１０の一部の領域Ａに及んで形成されている。領域Ｃにおいて、第１の開封補助線５１と第２の開封補助線５２とは、互いに重なるように形成されていてもよいし、重ならないように間隔を空けて形成されていてもよい。好ましくは、領域Ｃにおいて、第１の開封補助線５１と第２の開封補助線５２とが互いに重なるように形成されており、図示例のようにハの字形状の単位補助線５１ａとハの字形状の単位補助線５２ａとが交差してＸ形状を構成している。領域Ｃの幅は、包装袋１００の用途および大きさなどに応じて適切に設定され得、例えば、０．５ｍｍ〜５ｍｍであり、好ましくは１ｍｍ〜３ｍｍである。なお、図示例では、第１の開封補助線５１および第２の開封補助線５２は一列に形成されているが、２列以上の開封補助線が形成されていてもよい。
【００１１】
一般的に、開封補助線を有する包装袋は、フィルムに開封補助線を形成した後、フィルムを製袋加工することにより製造され得る。前面および背面に開封補助線を有する包装袋の製造工程において、特に量産時の製造バラつきにより、フィルムが本来の折り返し部からずれた位置で折り返された場合、前面に形成されるべき開封補助線が背面に位置し、または、背面に形成されるべき開封補助線が前面に位置する場合がある。この場合、得られる包装袋は、切り裂き開封したときに裂け目が所定の方向に誘導されず、開封が困難になり得る。これに対して、本実施形態の包装袋１００は、上記のとおり、端部２３を含む領域Ｃに、第１の開封補助線５１および第２の開封補助線５２の両方が形成されている。したがって、包装袋１００の製造工程において、フィルムが本来の折り返し部からずれた位置で折り返された場合であっても、少なくとも領域Ｃの範囲内で折り返されることにより、端部２３近傍において前面１０には第１の開封補助線５１が存在し、背面１１には第２の開封補助線５２が存在することとなる。その結果、切り裂き開封したときに裂け目を誘導することができ、開封が容易になり得る。
【００１２】
第１の開封補助線５１および第２の開封補助線５２は、裂け目を端部２３から端部２４へ向けて誘導可能な形状であればよく、図４に示すようなハの字形状の単位補助線５１ａおよび５２ａを有する構成に限定されない。図５は、本発明の別の実施形態による包装袋の開封補助線を示す概略図であり、図６は、本発明のさらに別の実施形態による包装袋の開封補助線を示す概略図である。図５に示すように、第１の開封補助線５１がＶ字形状の単位補助線５１ｂを含み、第２の開封補助線５２がＶ字形状の単位補助線５２ｂを含んでいてもよい。また、図６に示すように、第１の開封補助線５１がＵ字形状の単位補助線５１ｃを含み、第２の開封補助線５２がＵ字形状の単位補助線５２ｃを含んでいてもよい。さらに、図示は省略するが、単位補助線の形状はＹ字形状であってもよい。また、第１の開封補助線５１および第２の開封補助線５２における単位補助線の数、および隣接する単位補助線同士の間隔は、包装袋１００の用途、フィルムの強度などに応じて適切に設定され得る。
【００１３】
なお、図示例の包装袋１００は、領域Ｃと同様に、端部２４を含む前面１０および背面１１の一部の領域に、第１の開封補助線５１および第２の開封補助線５２の両方が形成されていてもよい。これにより、製造工程においてフィルムが本来の折り返し部からずれた位置で折り返された場合であっても、少なくとも上記領域の範囲内で折り返されることにより、端部２４近傍において前面１０には第１の開封補助線５１が存在し、背面１１には第２の開封補助線５２が存在することとなる。その結果、包装袋を袋本体と開封片とに切り離して開封する際に、開封補助線を境に容易に切り離すことができる。さらに、包装袋を端部２３から切り裂いて開封する場合と同様に、端部２４から切り裂いて開封する場合にも、易開封性を付与して裂け目を誘導することができる。
【００１４】
１つの実施形態においては、図２および３に示すように、包装袋１００は、前面１０と背面１１とがシールされることにより互いに対向する両端２１および２２のそれぞれに沿って形成されたシール部３１およびシール部３２と、シール部３１からシール部３２にかけて背面１１から隆起する背シール部４０と、を有する。図７は、本発明の１つの実施形態による包装袋を背面側から見たときの概略斜視図である。実用的には、背シール部４０は端部２４側に向けて折り込まれているが、図７では説明のため、背シール部４０が背面１１と直交するように背シール部４０を立てた状態を示している。本実施形態においては、背シール部４０の端部２４側の面４１には、裂け目を背シール部４０の基部４３から先端部４４へ向けて誘導可能な形状を有する第３の開封補助線５３が形成されている。さらに、背シール部４０と背面１１との境界を含む一部の領域Ｄに、第２の開封補助線５２および第３の開封補助線５３の両方が形成されている。代表的には、第２の開封補助線５２が上記境界を跨いで面４１の一部の領域に及んで形成されており、第３の開封補助線５３が上記境界を跨いで背面１１の一部の領域に及んで形成されている。領域Ｄにおいて、第２の開封補助線５２と第３の開封補助線５３とは、互いに重なるように形成されていてもよいし、重ならないように間隔を空けて形成されていてもよい。好ましくは、領域Ｄにおいて、第２の開封補助線５２と第３の開封補助線５３とが互いに重なるように形成されている。領域Ｄの幅は、包装袋１００の用途および大きさなどに応じて適切に設定され得、例えば、０．５ｍｍ〜３ｍｍであり、好ましくは１ｍｍ〜２ｍｍである。なお、図２に示すように、背シール部４０の端部２３側の面４２には、好ましくは、背面１１から連続して第２の開封補助線５２が形成されている。
【００１５】
これにより、包装袋１００の製造工程において、フィルムの端部をヒートシールして背シール部４０を形成する際に、本来のヒートシール位置からずれた位置でヒートシールされた場合であっても、背シール部４０の基部４３が少なくとも領域Ｄの範囲内に位置するようにヒートシールされることにより、背シール部４０と背面１１との境界近傍において背面１１には第２の開封補助線５２が存在し、面４１には第３の開封補助線５３が存在することとなる。その結果、切り裂き開封したときに、背シール部４０と背面１１との境界を跨いで裂け目を誘導することができ、開封が容易になり得る。
【００１６】
Ｂ．製袋用フィルム
包装袋１００は、代表的には、本発明の１つの実施形態による製袋用フィルムを用いて製造され得る。図８は、本発明の１つの実施形態による製袋用フィルム２００の概略図である。製袋用フィルム２００は、長尺状であり、包装袋１００の製造に用いられる。製袋用フィルム２００の少なくとも一方の面には、幅方向に沿って開封補助線が形成されている。開封補助線は、製袋用フィルム２００を製袋加工したときに、上記包装袋１００の第１〜第３の開封補助線となり得る。
【００１７】
さらに、製袋用フィルム２００は、長手方向に沿って、４本の折り返し部２１０〜２１３を有する。折り返し部２１０〜２１３は、製袋用フィルム２００の一方の端部２０１から他方の端部２０２にかけてこの順に並んでいる。折り返し部２１２は、製袋加工して得られる包装袋１００における前面１０と背面１１との境界線（端部２３）に対応する。さらに、折り返し部２１１は前面１０と背面１１との境界線（端部２４）に対応し得、折り返し部２１０および２１３は背面１１と背シール部４０との境界線に対応し得る。すなわち、折り返し部２１１と折り返し部２１２との間の領域２２２が包装袋１００における前面１０に対応し得る。さらに、端部２０１と折り返し部２１０との間の領域２２０が背シール部４０の端部２４側の面４１に対応し得、折り返し部２１０と折り返し部２１１との間の領域２２１が背面１１の一部に対応し得、折り返し部２１２と折り返し部２１３との間の領域２２３が背面１１の一部に対応し得、折り返し部２１３と端部２０２との間の領域２２４が背シール部４０の端部２３側の面４２に対応し得る。したがって、代表的には、図８に示すように、前面１０に対応する領域２２２には第１の開封補助線５１が形成されており、領域２２１、領域２２３、および領域２２４には第２の開封補助線５２が形成されており、背シール部４０の端部２４側の面４１に対応する領域２２０には第３の開封補助線５３が形成されている。
【００１８】
図８に示すように、折り返し部２１２を含む領域Ｃに、第１の開封補助線５１および第２の開封補助線５２の両方が形成されている。さらに、好ましくは、折り返し部２１０を含む領域Ｄに、第２の開封補助線５２および第３の開封補助線５３の両方が形成されている。さらに、好ましくは、折り返し部２１１を含む領域Ｅに、第１の開封補助線５１および第２の開封補助線５２の両方が形成されている。
【００１９】
図８に示すように、好ましくは、端部２０１および２０２の近傍の領域には開封補助線は形成されない。これにより、製袋加工時の負荷により製袋用フィルム２００が開封補助線に沿って破断することが防止され得る。上記領域の幅は、例えば０．５ｍｍ〜３ｍｍであり、好ましくは１ｍｍ〜２ｍｍである。
【００２０】
製袋用フィルム２００は、代表的には、製袋用フィルム２００の最外層となる基材フィルムと、用途に応じて基材フィルム上に積層された機能層とを有する。機能層としては、例えば、バリア層および融着層（シーラント層）が挙げられる。各層は接着層を介して積層され得る。
【００２１】
基材フィルムとしては、ポリエステル系、ポリアミド系、ポリプロピレン系、ポリカーボネート系、ポリスチレン系、ポリブチレンテレフタレート（ＰＢＴ）、ポリエチレンナフタレート（ＰＥＮ）、セロファン等の樹脂フィルム、またはグラシン紙、上質紙等の紙素材を用いることができる。好ましくは、これらの樹脂フィルムを二軸延伸した延伸フィルムが用いられる。
【００２２】
バリア層は、例えば、アルミニウム、酸化珪素、酸化アルミニウム、酸化インジウム、酸化錫、および酸化ジルコニウム等の無機物を基材フィルム上に蒸着すること、または、アルミニウム等の金属箔、もしくはポリ塩化ビニリデン（ＰＶＤＣ）、ポリクロロトリフルオロエチレン（ＰＣＴＥＦＥ）、エチレン−酢酸ビニル共重合樹脂（ＥＶＯＨ）等を含有するフィルムを基材フィルムに貼り合わせることにより形成され得る。包装袋を構成する製袋用フィルムとして、上記バリア層を有する製袋用フィルムを用いることにより、ガスバリア性、水蒸気バリア性、機械的強度、耐屈曲性、耐突き刺し性、耐衝撃性、耐磨耗性、耐寒性、耐熱性、耐薬品性、および遮光性等を向上させ、内容物の劣化を防止し得る。
【００２３】
融着層は、例えば、高圧法低密度ポリエチレン、直鎖状低密度ポリエチレン、中密度ポリエチレン、高密度ポリエチレン、ポリプロピレン、エチレン−プロピレン共重合体、エチレン−酢酸ビニル共重合体、アイオノマー樹脂、エチレン−アクリル酸共重合体、エチレン−アクリル酸エステル共重合体、エチレン−メタクリル酸共重合体（ＥＭＭＡ）、エチレン−ビニルアルコール共重合体（ＥＶＯＨ）、ポリアクリロニトリル（ＰＡＮ）、ポリエチレンテレフタレート（ＰＥＴ）に代表されるポリエステル等の樹脂材料を塗布すること、または、これらの樹脂材料からなる樹脂フィルムを接着して積層することにより形成され得る。このような融着層を最内層として備えることにより、ヒートシールにより製袋用フィルムの端部をシールすることができる。融着層は、好ましくは、製袋用フィルム２００の幅方向に沿って（すなわち、開封補助線が延びる方向に沿って）裂けやすい材料により構成され得る。このような材料としては、例えば、エチレン−酢酸ビニル共重合体（ＥＶＡ）、エチレン−ビニルアルコール共重合体（ＥＶＯＨ）、ポリアクリロニトリル（ＰＡＮ）、ポリエチレンテレフタレート（ＰＥＴ）、シクロオレフィン共重合体（ＣＯＣ）等を含有する易引裂き性フィルムが挙げられる。
【００２４】
開封補助線は、製袋用フィルムの他の部分よりも厚みが薄い部分であり得る。開封補助線を形成する層としては、基材層または機能層、もしくはそれらの両方であり得る。このような開封補助線は、代表的には、レーザー照射（例えば、炭酸ガスレーザー照射）により製袋用フィルムをハーフカットすることにより形成される。
【産業上の利用可能性】
【００２５】
本発明の包装袋は、医薬品および菓子等を包装したＰＴＰ包装シートを収容する包装袋、および、粉体または液体を充填するスティックタイプの包装袋として好適に用いられる。
【符号の説明】
【００２６】
１０      前面
１１      背面
４０      背シール部
５１      第１の開封補助線
５２      第２の開封補助線
５３      第３の開封補助線
１００    包装袋
２００    製袋用フィルム
【図１】
2019119457.tif 000003
【図２】
2019119457.tif 000004
【図３】
2019119457.tif 000005
【図４】
2019119457.tif 000006
【図５】
2019119457.tif 000007
【図６】
2019119457.tif 000008
【図７】
2019119457.tif 000009
【図８】
2019119457.tif 000010